(57)【要約】【課題】どこでも手軽に水素水を製造して飲むことができる携帯型水素水製造コップを提供する。【解決手段】水を入れるコップ２と、該コップ２を載置するコースタ３０と、前記コップ２内の水から水素水を製造するためにコップ２内の底部に上下方向に所定の隙間を隔てて配設された円板状の陽極３及び陰極４からなる電極５と、前記コップ２の外底部に設けられ、前記電極５に通電するための通電端子１５，１９と、前記コースタ３０の上面に設けられ、前記通電端子１５，１９に接して電気を供給する給電端子３３，３４と、前記コースタ３０の側部に設けられ、前記給電端子３３，３４を電源に接続するための電源接続端子４６とを備えている。【選択図】図３
2014083476.tif 000002
【特許請求の範囲】
【請求項１】
水を入れるコップと、該コップを載置するコースタと、前記コップ内の水から水素水を製造するためにコップ内の底部に上下方向に所定の隙間を隔てて配設された円板状の陽極及び陰極からなる電極と、前記コップの外底部に設けられ、前記電極に通電するための通電端子と、前記コースタの上面に設けられ、前記通電端子に接して電気を供給する給電端子と、前記コースタの側部に設けられ、前記給電端子を電源に接続するための電源接続端子とを備えたことを特徴とする携帯型水素水製造コップ。
【請求項２】
前記コースタが、前記コップの上端部に装着可能な蓋を兼ねている請求項１記載の携帯型水素水製造コップ。
【請求項３】
前記コップが、上端部及び下端部が開放されているガラス製のコップ本体と、該コップ本体の下端部に気密部材を介して着脱可能に取付けられる底蓋部材とを有し、該底蓋部材に前記電極が設けられている請求項１記載の携帯型水素水製造コップ。
【請求項４】
前記コースタには水を入れたコップを載せたときに、その荷重によりオン操作されて給電端子に給電し、コップを取り除いたときにオフ操作されるスイッチを有する基板が設けられている請求項１記載の携帯型水素水製造コップ。
【発明の詳細な説明】
【技術分野】
【０００１】
本発明は、どこでも手軽に水素水を製造して飲むことができる携帯型水素水製造コップに関するものである。
【背景技術】
【０００２】
体内の活性酸素を中和して病気の治療、健康の増進あるいは体質の改善等を図るために、体内に水素を取り込むことが有効とされている。この水素を体内に取り込むために、飲料水に水素を溶存させて成る水素水が注目されており、水素水が充填されたペットボトル等も市販されている。また、水素水製造装置（特許文献１参照）も知られている。
【先行技術文献】
【特許文献】
【０００３】
【特許文献１】特開２００５−１０５２８９号公報
【発明の概要】
【発明が解決しようとする課題】
【０００４】
しかしながら、ペットボトルに充填された水素水は、時間の経過と共に水素が分離してしまうため、製造直後の水素水でないと、十分な効能を期待することができなかった。
【０００５】
また、特許文献１に記載された水素水製造装置においては、電気分解槽内に陽極と陰極から成るメッシュ状電極を対向して組み込むと共にこの対向する陽極と陰極間にメッシュ状セパレータを配置して構成されるものであることから、装置の大型化を余儀なくされ、どこでも手軽に水素水を製造して飲むことは困難であった。
【０００６】
本発明は、このような課題を解決すべくなされたものであり、どこでも手軽に水素水を製造して飲むことができる携帯型水素水製造コップを提供することを目的とする。
【課題を解決するための手段】
【０００７】
本発明のうち、請求項１に係る発明は、水を入れるコップと、該コップを載置するコースタと、前記コップ内の水から水素水を製造するためにコップ内の底部に上下方向に所定の隙間を隔てて配設された円板状の陽極及び陰極からなる電極と、前記コップの外底部に設けられ、前記電極に通電するための通電端子と、前記コースタの上面に設けられ、前記通電端子に接して電気を供給する給電端子と、前記コースタの側部に設けられ、前記給電端子を電源に接続するための電源接続端子とを備えたことを特徴とする。
【０００８】
前記コースタが、前記コップの上端部に装着可能な蓋を兼ねていることが好ましい。
【０００９】
前記コップが、上端部及び下端部が開放されているガラス製のコップ本体と、該コップ本体の下端部に気密部材を介して着脱可能に取付けられる底蓋部材とを有し、該底蓋部材に前記電極が設けられていることが好ましい。
【００１０】
前記コースタには水を入れたコップを載せたときに、その荷重によりオン操作されて給電端子に給電し、コップを取り除いたときにオフ操作されるスイッチを有する基板が設けられていることが好ましい。
【発明の効果】
【００１１】
本発明によれば、どこでも手軽に水素水を製造して飲むことができる携帯型水素水製造コップを提供することができる。
【図面の簡単な説明】
【００１２】
【図１】本発明に係る携帯型水素水製造コップの一例を示す斜視図である。
【図２】コースタをコップの上端部に蓋として装着した例を示す斜視図である。
【図３】本発明に係る携帯型水素水製造コップの一例を示す要部拡大断面図である。
【図４】トレイ部からコップを取り外した状態を示す断面図である。
【図５】電池内蔵ＡＣアダプタを示す図で、（ａ）は側面、（ｂ）は底面図である。
【発明を実施するための形態】
【００１３】
以下、本発明の実施の形態について、図１〜図５を用いて詳細に説明する。
【００１４】
図１ないし図２に示すように、携帯型水素水製造コップ１は、水を入れるコップ２と、このコップ２を載置するコースタ３０とを備えている。コップ２内に入れた水から水素水を製造するために、コップ２内の底部には、図３ないし図４に示すように円板状の陽極（陽極板）３及び陰極（陰極板）４からなる電極５が上下方向に所定の隙間を隔てて設けられている。図示例では、上側に陰極４が、下側に陽極３が配置されている。
【００１５】
陽極３としては例えば白金メッキを施したものが用いられる。陰極４としては例えばイリジウムメッキを施したものが用いられる。陰極４と陽極３との間には所定の隙間例えば１．５ｍｍの隙間が設けられる。また、陽極３及び陰極４の中心部に取付孔６，７が設けられている。実施例の場合、陰極４が上に、陽極３が下に配置されているため、陽極３の取付孔６の方が陰極４の取付孔７よりも大きい口径とされている。
【００１６】
コップ２は、上端部及び下端部が開放されているガラス製のコップ本体２ａと、コップ本体２ａの下端に気密部材８を介して着脱可能に取付けられる合成樹脂製の底蓋部材９とを有し、この底蓋部材９に電極５が設けられている。コップ本体２ａの下端開口部２ｘは、上端開口部２ｙよりも小径の筒状に形成されており、この下端開口部２ｘの外周には雄ネジ部１０が形成されている。
【００１７】
一方、底蓋部材９は、コップ本体２ａの下端開口部を覆う底板部９ａと、この底板部９ａの上面から立ち上がった円筒部９ｂとを有し、この円筒部９ｂの内周には筒状の下端開口部２ｘの外周の雄ネジ部１０に螺合する雌ネジ部１１が形成されている。底蓋部材９の内面にはコップ本体２ａの下部開口端２ｘを気密に塞ぐ気密部材（パッキン）８が設けられている。コップ本体２ａの容積は、例えば１８０〜２００ｃｃとされている。
【００１８】
底蓋部材９は、中央部に上方へ突出したボス部１２を一体的に有し、ボス部１２の先端部の外周部には陽極３の取付孔６に嵌合して陽極３を所定の高さに位置決めする段部１３が設けられている。ボス部１２を含む底蓋部材９の中心部には軸孔１４が形成され、この軸孔１４には、下端にフランジ部１５ａを有し且つ上端にネジ孔１５ｂを有する一方の通電端子１５が下方から嵌合されている。通電端子１５の先端部（上端部）はボス部１２の先端部（上端部）に達している。
【００１９】
この通電端子１５の先端部に陰極４の中心部が載置され、取付ネジ１６をネジ孔１５ｂに螺着することで陰極４が固定されている。陽極４が上方に移動したりして、陽極３と陰極４が接触してショートを起こすことがないようにするために、陰極４と陽極３との間には絶縁部材として合成樹脂製のスペーサ１７が設けられている。
【００２０】
また、ボス部１２から半径方向に離れた底蓋部材９に形成された軸孔１８には下端にフランジ部１９ａを有し、上端にネジ孔１９ｂを有する他方の通電端子１９が下方から嵌合されて上方に突出した状態に固定され、この通電端子１９の上端部には陽極３の周辺部の一部が取付ネジ２１で固定されている。なお、陰極４には取付ネジ２１の頭部が接触するのを回避するための孔部２２が設けられ、この孔部２２には絶縁部材２３が充填されている。
【００２１】
通電端子１５，１９の下端部は底蓋部材９の外底面よりも突出している。底蓋部材９の下面中央領域には、後述する給電端子３３，３４を収容可能な凹部２４が形成されている。コップ本体２ａと底蓋部材９の連結部の外周には、例えばステンレス製の板材からなる装飾リング２５が装着されている。
【００２２】
一方、コースタ３０は、有底円筒状のコースタ本体３１と、コースタ本体３１の上部を覆うように設けられた天板部３２とを有している。天板部３２には、その中央部に中央の通電端子１５に接触する陰極の給電端子３３が設けられ、その陰極の給電端子３３を囲むようにして陽極の通電端子１９に接触する環状の陽極の給電端子３４が設けられている。
【００２３】
コースタ３０の天板部３２の上面には、陽極の給電端子３４の外周側に環状の凹部３５が形成されており、この凹部３５にコップ２の底蓋部材９の底板部９ａにおける環状の外周部分３６が係合し、コップ２が安定した状態に保持される。
【００２４】
コースタ３０には水を入れたコップ２を載せたときに、その荷重によりオン操作されて給電端子３３，３４に給電し、コップ２を取り除いたときにオフ操作されるスイッチ３７を有する基板３８が設けられている。基板３８は、コースタ３０の内部における天板部３２の下部に取付部材３９と、陽極の給電端子３４用の通電軸４０とを介して取付けられている。
【００２５】
天板部３２の中央部と基板３８の中央部には陰極の棒状で上端が凸面状の給電端子３３を摺動自在に支持する支持孔４１が形成されている。陰極の給電端子３３の中間部には天板部３２の下面に当接するストッパ４２が設けられ、このストッパ４２と基板３８との間には陰極の給電端子３３を上方に付勢するバネ４３が取付けられている。
【００２６】
基板３８を介して給電端子３３，３４に給電するために、コースタ本体３１の側部には給電端子３３，３４を電源例えば電池内蔵型ＡＣアダプタ４４のＤＣプラグ４５に接続するための電源接続端子であるＤＣソケット４６が設けられている。電池内蔵型ＡＣアダプタ４４は、図５の（ａ），（ｂ）に示すように上面及び底面を有する扁平円筒状のハウジング４７内に図示しないＡＣアダプタ本体及びＤＣ電池が内蔵されており、ハウジング４７の側面部にはＡＣアダプタ本体に接続されたＡＣ１００Ｖ用の収納式プラグ４８と、例えば１２Ｖ用のＤＣ電池にコード４９を介して接続されたＤＣプラグ４５とが設けられている。電池内蔵型ＡＣアダプタ４４内には、ＤＣ電池として、筒型もしくは角型のリチウムイオン電池（充電池）が複数本例えば３本収容されている（図示省略）。
【００２７】
また、コースタ３０は、図２に示すようにコースタ本体３１がコップ２の上端開口部２ｙ内に嵌合し得る大きさに形成されていると共に、天板部３２の周縁部下面がコップ２の上端開口部２ｙの縁に当接されるようになっている。これにより、コースタ３０は、コップ２の蓋としても使用することができるようになっている。
【００２８】
以上のように構成された携帯型水素水製造コップ１によれば、水を入れたコップ２をコースタ３０の上に置き、電池内蔵型ＡＣアダプタ４４のＤＣプラグ４５をコースタ３０のＤＣソケット４６に接続するだけで、コップ１内の水が電極５によって電気分解され、電極５の陰極４の表面には水素が発生し、陽極３の表面には酸素が発生する。
【００２９】
この場合、陰極４と陽極３が水平状態で上下方向に所定の間隔で平行に配置されているため、陰極４の上面部に水素の微細な気泡が一様に発生しては浮力で一斉に浮上することが連続的に繰り返され、コップ１内には微細な気泡で白濁した水素水が短時間で製造されることになる。
【００３０】
従って、本実施の形態の携帯型水素水製造コップ１によれば、どこでも手軽に水素水を製造することができ、しかも、製造直後の純度の高い水素水を飲むことができるため、十分な効能を期待することができる。
【００３１】
コースタ３０が、コップ２の上端部に装着可能な蓋を兼ねているため、コップ２の上端部にコースタ３０を載せるだけで、蓋をすることができ、コップ２内にゴミや埃が入るのを防止することができる。
【００３２】
コップ２が、上端部及び下端部が開放されているガラス製のコップ本体２ａと、コップ本体２ａの下端部に気密部材８を介して着脱可能に取付けられる底蓋部材９とを有し、底蓋部材９に電極５が設けられているため、分解掃除が容易にできるだけでなく、電極５にカスが固着した場合には、底蓋部材９だけを交換すればよく、メンテナンスが容易であり、経済的である。
【００３３】
コースタ３０には水を入れたコップ２を載せたときに、その荷重によりオン操作されて給電端子３３，３４に給電され、コップ２をコースタ３０上から取り去ったときにオフ操作されて給電端子３３，３４への給電が解除されるスイッチ３７を有する基板３８が設けられているため、スイッチ操作をする煩わしさがなく、便利である。
【００３４】
本発明は前記実施の形態に限定されるものではなく、その要旨を逸脱しない範囲で種々変更可能であることは言うまでもない。
【符号の説明】
【００３５】
１  携帯型水素水製造コップ
２  コップ
２ａ  コップ本体
２ｘ  下端開口部
２ｙ  上端開口部
３  陽極
４  陰極
５  電極
６  取付孔
７  取付孔
８  気密部材
９  底蓋部材
９ａ  底板部
９ｂ  円筒部
１０  雄ネジ部
１１  雌ネジ部
１２  ボス部
１３  段部
１４  軸孔
１５  通電端子
１５ａ  フランジ部
１５ｂ  ネジ孔
１６  取付ネジ
１７  スペーサ
１８  軸孔
１９ａ  フランジ部
１９ｂ  ネジ孔
１９  通電端子
２１  取付ネジ
２２  孔部
２３  絶縁部材
２４  凹部
２５  装飾リング
３０  コースタ
３１  コースタ本体
３２  天板部
３３  給電端子
３４  給電端子
３５  凹部
３６  外周部分
３７  スイッチ
３８  基板
３９  取付部材
４０  通電軸
４１  支持孔
４２  ストッパ
４３  バネ
４４  電池内蔵型ＡＣアダプタ（電源）
４５  ＤＣプラグ
４６  ＤＣソケット（電源接続端子）
４７  ハウジング
４８  プラグ
４９  コード
【図１】
2014083476.tif 000003
【図２】
2014083476.tif 000004
【図３】
2014083476.tif 000005
【図４】
2014083476.tif 000006
【図５】
2014083476.tif 000007
【手続補正書】
【提出日】平成24年10月25日(2012.10.25)
【手続補正１】
【補正対象書類名】図面
【補正対象項目名】全図
【補正方法】変更
【補正の内容】
【図１】
2014083476.tif 000008
【図２】
2014083476.tif 000009
【図３】
2014083476.tif 000010
【図４】
2014083476.tif 000011
【図５】
2014083476.tif 000012